(57)【特許請求の範囲】
【請求項１】
ラックに搭載したモニタに装着されるモニタフードであって、
該モニタフードが天蓋板とその両側部に連設するフード側板とからなり、該両フード側板を該天蓋板上に折り重ねて収納することを特徴とするモニタフード。
【請求項２】
請求項１に記載のモニタフードを収納する引き出し受部が、前記モニタ上部のラック内に設けられていることを特徴とする請求項１に記載のモニタフード。
【請求項３】
前記天蓋板と前記フード側板とからなる前記モニタフードが、箱状枠体に設けられていることを特徴とする請求項１又は２に記載のモニタフード。
【請求項４】
前記モニタフードの内面が布張りであることを特徴とする請求項１乃至３の何れかに記載のモニタフード。
【請求項５】
前記箱状枠体の側壁枠には、前記引き出し受部に摺動するガイド部が設けられていることを特徴とする請求項３又は４に記載のモニタフード。
【発明の詳細な説明】
【技術分野】
【０００１】
本発明は、ラックに搭載されたテレビ、モニタ等に使用されるモニタフードに関するものである。
【背景技術】
【０００２】
従来、テレビ等のディスプレイ装置では、その画面に光が入射して反射すると映像が見難くなり、光を遮るフードを画面上に覆うように設けられる場合がある。従来のディスプレイ装置のフード機構について図８を参照して説明する。図８（ａ），（ｂ）は、テレビ１の画面上部にフード２を設けた例を示しており、フード２は、天蓋部２ａとその両側のフード側板２ｂからなり、天蓋部２ａの底部に凸断面形状のリブ４が設けられ、リブ４の後端部に嵌合爪４ａが設けられ、テレビ１の上部には凸断面形状のリブ４が嵌合する凹状の係合リブ５が設けられている。フード２は、リブ４をこの係合リブ５に矢印Ｂに示したように挿入して嵌合させることにより、フード２を矢印Ａで示すように前後に移動させることができ、フード２を前方に引き出すと、リブ４の後端部の嵌合爪４ａが係合リブ５に当接し、フード２が抜脱されることがなく、また、フード２を後方に押し込むと、リブ４が係合リブ５に摺動して両側のフード側板２ｂがテレビ１の筐体両側面に沿って後方に移動しフード２を収めることができる。（例えば、特許文献１参照）
【０００３】
【特許文献１】特開平７−１１５６０９号公報（明細書の段落〔００１０〕〜〔００１９〕，図面図１〜図３）
【発明の開示】
【発明が解決しようとする課題】
【０００４】
しかしながら、従来のディスプレイ装置のフード機構は、据え置き型に対応するものであり、フードのフード側板をディスプレイ装置の筐体両側面に後方に移動させて収納できるスペースを有するものである。このようなディスプレイ装置に対応するフード機構では、ディスプレイ装置或いはモニタをラックに搭載して利用する場合、モニタが所定のマウンターに取り付けられてラックに装着されており、モニタの両側にはマウンターやラックのフレームが存在し、フードのフード側板を筐体両側面に沿って収納することができない欠点があった。また、中継車などの狭いスペースで使用されるモニタは、フードを突出させたままでは通路の妨害ともなり、作業性を悪化させるといった問題もある。
【０００５】
本発明は、上述のような課題に鑑みなされたものであり、ラックに搭載されたモニタに入射する光を遮ることができ、かつコンパクトに収納することができるモニタフードを提供することを目的とするものである。
【課題を解決するための手段】
【０００６】
本発明は上記課題を達成するためになされたものであり、請求項１の発明は、ラックに搭載したモニタに装着されるモニタフードであって、
該モニタフードが天蓋板とその両側部に連設するフード側板とからなり、該両フード側板を該天蓋板上に折り重ねて収納することを特徴とするモニタフードである。
【０００７】
また、請求項２の発明は、請求項１に記載のモニタフードを収納する引き出し受部が、前記モニタ上部のラック内に設けられていることを特徴とする請求項１に記載のモニタフードである。
【０００８】
また、請求項３の発明は、前記天蓋板と前記フード側板とからなる前記モニタフードが、箱状枠体に設けられていることを特徴とする請求項１又は２に記載のモニタフードである。
【０００９】
また、請求項４の発明は、前記モニタフードの内面が布張りであることを特徴とする請求項１乃至３の何れかに記載のモニタフードである。
【００１０】
また、請求項５の発明は、前記箱状枠体の側壁枠には、前記引き出し受部に摺動するガイド部が設けられていることを特徴とする請求項３又は４に記載のモニタフードである。
【発明の効果】
【００１１】
請求項１の発明では、ラックに搭載したモニタに装着されるモニタフードであって、
該モニタフードが天蓋板とその両側部に連設するフード側板とからなり、該両フード側板を該天蓋板上に折り重ねて収納することを特徴とするモニタフードであるので、モニタフードをコンパクトに折り重ねてラック内に収納することが可能であり、狭いスペースに設置されたラックに搭載したモニタであってもモニタフードを設置することができ、モニタ画面に入射する不要な入射光を遮断することができる。また、比較的狭い場所で使用する場合であっても、使用後、モニタフードの両フード側板をモニタの上部に重ねて収納することができ、モニタフードが通路の妨げになることがない利点がある。
【００１２】
また、請求項２の発明では、請求項１に記載のモニタフードを収納する引き出し受部が、前記モニタ上部のラック内に設けられていることを特徴とする請求項１に記載のモニタフードであるので、両フード側板を天蓋板に折り重ねた状態でモニタフードを引き出し受部に容易に収納することができ、使用後はモニタフードを引き出し受部に収納し、狭いスペースで利用されるモニタ等に効果的である。
【００１３】
また、請求項３の発明では、前記天蓋板と前記フード側板とからなる前記モニタフードが、箱状枠体に設けられていることを特徴とする請求項１又は２に記載のモニタフードであるので、モニタフードに必要な強度を与え、フード側板を持ち上げて天蓋板に乗せることができ、ラック内に重ねてコンパクトに収納できる利点がある。
【００１４】
また、請求項４の発明では、前記モニタフードの内面が布張りであることを特徴とする請求項１乃至３の何れかに記載のモニタフードであるので、光の反射を吸収する効果を有し、モニタからの光を効果的に吸収し、モニタの画面からの光がモニタフード内面での反射を解消できる。
【００１５】
また、請求項５の発明では、前記箱状枠体の側壁枠には、前記引き出し受部に摺動するガイド部が設けられていることを特徴とする請求項３又は４に記載のモニタフードであるので、モニタフードをガイド部を沿わせて引き出し受部に容易に収納することができる。
【発明を実施するための最良の形態】
【００１６】
以下、本発明に係るモニタフードについて図面を参照して説明する。図１（ａ）は、モニタフードの斜視図であり、図１（ｂ）はモニタフードの展開図である。図２〜図４は使用状態を示す正面図、側面図、及び上面図であり、図５，図６はモニタフードの収納について説明する正面図及び斜視図である。図７はモニタフードをラック内に収納するための引き出し受部を示す斜視図である。
【００１７】
本実施形態は、図１（ａ），（ｂ）に示すように、モニタフード１０が天蓋板１０ａとその両側部に連設したフード側板１０ｂとからなり、天蓋板１０ａには強度を補填するための補強部材１１がネジ止めされている。天蓋板１０ａの両側にフード側板１０ｂが折り曲げ可能に設けられ、フード側板１０ｂの上部にも折り曲げ可能な可撓性を有する折曲部１０ｃが設けられている。
【００１８】
さらに、モニタフード１０は、天蓋板１０ａとフード側板１０ｂとからなるとともに、天蓋板１０ａの底面に箱状枠体１２が設けられている。箱状枠体１２は有底状の箱形状であり、天蓋板１０ａは箱状枠体１２の底部分を上側にした部分に補強部材１１で固着されている。箱状枠体１２の前壁枠１２ａにはモニタフード１０の引き出しが容易な取手１２ｃが設けられている。また、モニタフード１０の内面には、外部や画面からの光の反射を吸収し得るように暗色系の羅紗等による布張りによる光吸収層が設けられている。
【００１９】
続いて、図２乃至図４及び図５を参照して、ラック１３に搭載されたモニタ１４にモニタフード１０が装着された実装例について説明する。モニタ１４は、把持部１５ａが設けられたマウンター１５に取り付けられてラック１３に搭載される。モニタ１４の両側にはマウンター１５とラック１３のフレームとが存在し、従来のようなフードを装着することができない。マウンター１５又はラック１３には、引き出し受部１６がモニタ１４の上部両側に設けられ、これら引き出し受部１６にモニタフード１０が嵌入可能に設けられる。モニタフード１０は、モニタ１４の上部に画面の上部と両側部を囲むように設けられ、モニタ１４の周囲からの光が画面に入射するのを防止している。
【００２０】
モニタフード１０を使用しない時は、図５，図６に示したように、両フード側板１０ｂを矢印Ａで示すように上方に持ち上げて折り曲げて互いに重ねて天蓋板１０ａの上部に載置し、モニタフード１０を後方に押し込むことによって、引き出し受部１６に収納することができる。また、モニタフード１０を使用する時は、箱状枠体１２の前壁枠１２ａの取手１２ｃに手を掛けて手前に引くことにより、モニタフード１０が引き出し受部１６からモニタ１の前方に移動させて、折り重ねられた両フード側板１０ｂを矢印Ａで示すように引き下ろして把持部１５ａの外側に沿わせることにより、モニタ１の画面の上方と左右方向からの不要な光の入射を遮ることができる。
【００２１】
一方、モニタフード１０には、図６，図７にその一例を示したが、引き出し受部１６への出し入れが容易なように、箱状枠体１２の両側壁枠１２ｂにガイド部１７を設け、ガイド部１７が引き出し受部１６に設けた案内部１６ａに嵌合して摺動するような摺動機構が設けられている。モニタフード１０は、この摺動機構によりラック１３内に容易に収納することができる。無論、このガイド部１７等による摺動機構は、上記実施形態に限定するものではなく、種々の形態が実施可能であることは言うまでもない。
【００２２】
なお、モニタフード１０は、その材質として樹脂プレート或いは硬質のダンボール紙等を樹脂シートで被覆したものや、一枚の比較的厚手の樹脂プレートを図１（ｂ）の形状に打ち抜き、折り曲げ部に可撓性を与えたものであってよい。また、上記実施形態では、布張りで説明したが、この形態に限定することなく、これらの樹脂シートやプレートに凹凸を設けてモニタの画面に入射される光を吸収するようにして入射光の反射を防止するようにしてもよい。また、箱状枠体１２は、比較的硬質なものがよく、その材質としては樹脂、金属板等の何れでもよい。なお、箱状枠体１２は、有底状のものとして説明したが、強固な構造であれば外側の枠体のみであってもよい。
【産業上の利用可能性】
【００２３】
本発明の活用例としては、モニタ用のモニタフードとして利用できることは勿論であり、テレビ等のディスプレイ装置のフードとして利用することができる。
【図面の簡単な説明】
【００２４】
【図１】（ａ）は本発明に係るモニタフードの一実施形態を示す斜視図、（ｂ）はモニタフードの展開図である。
【図２】本実施形態のモニタフードをラックに搭載したモニタに装着した例を示す正面図である。
【図３】本実施形態の装着例を示す側面図である。
【図４】本実施形態の装着例を示す上面図である。
【図５】本実施形態のモニタフードの折り重ね形態を示す正面図である。
【図６】本実施形態の摺動機構を説明するための斜視図である。
【図７】本実施形態の摺動機構を説明するための要部拡大斜視図である。
【図８】（ａ）は従来のフードを示す斜視図であり、（ｂ）は摺動機構の要部を示す斜視図である。
【符号の説明】
【００２５】
１０  モニタフード
１０ａ  天蓋板
１０ｂ  フード側板
１１  補強部材
１２  箱状枠体
１２ａ  前壁枠
１２ｂ  側壁枠
１２ｃ  取手
１３  ラック
１４  モニタ
１５  マウンター
１５ａ  把持部
１６  引き出し受部
１６ａ  案内部
１７  ガイド部
【図１】
0004555216.tif 000002
【図２】
0004555216.tif 000003
【図３】
0004555216.tif 000004
【図４】
0004555216.tif 000005
【図５】
0004555216.tif 000006
【図６】
0004555216.tif 000007
【図７】
0004555216.tif 000008
【図８】
0004555216.tif 000009